(57)【要約】  送風機と、送風機よりも空気流れ方向の下流側に配置され、送風機から吹き出される空気の方向を変える複数の風向板と、複数の風向板に取り付けられ、複数の風向板の向きを変える長尺状の駆動部材と、送風機から吹き出される空気が流れる第１の風路構成部材と、駆動部材の端部が設けられている第２の風路構成部材と、複数の風向板が取り付けられ、第１の風路構成部材に回転自在に設けられているベース部材と、複数の風向板及び駆動部材が配置され、送風機よりも空気流れ方向の下流側に設けられている吹出風路と、を備え、第１の風路構成部材は、吹出風路の一部を構成している凹状部を含み、凹状部には、ベース部材が取り付けられ、駆動部材が配置されている。
2018198299.tif 000002
【特許請求の範囲】
【請求項１】
送風機と、
前記送風機よりも空気流れ方向の下流側に配置され、前記送風機から吹き出される空気の方向を変える複数の風向板と、
前記複数の風向板に取り付けられ、前記複数の風向板の向きを変える長尺状の駆動部材と、
前記送風機から吹き出される空気が流れる第１の風路構成部材と、
前記駆動部材の端部が設けられている第２の風路構成部材と、
前記複数の風向板が取り付けられ、前記第１の風路構成部材に回転自在に設けられているベース部材と、
前記複数の風向板及び前記駆動部材が配置され、前記送風機よりも空気流れ方向の下流側に設けられている吹出風路と、
を備え、
前記第１の風路構成部材は、前記吹出風路の一部を構成している凹状部を含み、
前記凹状部には、前記ベース部材が取り付けられ、前記駆動部材が配置されている
空気調和装置の室内機。
【請求項２】
前記凹状部は、空気流れ方向の上流側に設けられている第１の端部と、空気流れ方向の下流側に設けられている第２の端部とを含み、
前記駆動部材は、前記第１の端部及び前記第２の端部を通る第１の仮想平面よりも、上側に設けられている
請求項１に記載の空気調和装置の室内機。
【請求項３】
前記凹状部は、前記第１の端部が設けられている第１の面と、前記第２の端部が設けられ、前記ベース部材が取り付けられている第２の面とを含み、
前記駆動部材は、前記第１の面と前記複数の風向板との間に配置されている
請求項２に記載の空気調和装置の室内機。
【請求項４】
前記凹状部は、前記第１の端部が設けられている第１の面と、前記第２の端部が設けられ、前記ベース部材が取り付けられている第２の面と、前記第１の端部及び前記第２の端部よりも上側に設けられ、前記第１の面と前記第２の面とが接続されている部分に形成されている頂部とを含む
請求項２に記載の空気調和装置の室内機。
【請求項５】
前記第１の面と前記第２の面とがなす角度は、９０度より大きい
請求項４に記載の空気調和装置の室内機。
【請求項６】
前記第１の仮想平面と前記第２の面とのなす角度は、３０度より小さい
請求項４又は５に記載の空気調和装置の室内機。
【請求項７】
前記第２の面は、平面である
請求項４〜６のいずれか一項に記載の空気調和装置の室内機。
【請求項８】
前記頂部から前記第１の端部までの第１の長さは、前記頂部から前記第２の端部までの第２の長さよりも、短い
請求項４〜７のいずれか一項に記載の空気調和装置の室内機。
【請求項９】
前記駆動部材は、前記頂部を通り且つ垂直方向に平行な第２の仮想平面と、前記第１の面と、前記第１の仮想平面と、によって形成される領域に配置されている
請求項４〜８のいずれか一項に記載の空気調和装置の室内機。
【請求項１０】
前記駆動部材は、前記第１の面と前記複数の風向板との間に配置されている
請求項４〜９のいずれか一項に記載の空気調和装置の室内機。
【請求項１１】
前記領域は、垂直断面が三角形である
請求項９に記載の空気調和装置の室内機。
【請求項１２】
前記駆動部材の端部を動かすモーターを更に備え、
前記第２の風路構成部材は、前記モーターが設けられている空間と、前記吹出風路とを区画している
請求項１〜１１のいずれか一項に記載の空気調和装置の室内機。
【請求項１３】
各風向板は、前記ベース部材に回転自在に設けられている軸部と、前記軸部に接続されている羽根部とを含み、
前記凹状部には、前記羽根部の上部が配置されている
請求項１〜１２のいずれか一項に記載の空気調和装置の室内機。
【請求項１４】
熱交換器と、
前記熱交換器の下に設けられているドレンパンとを更に備え、
前記ドレンパンの上面には、前記熱交換器で生成される結露水を貯留する貯留部が形成され、
前記ドレンパンの下面には、前記第１の風路構成部材が形成されている
請求項１〜１３のいずれか一項に記載の空気調和装置の室内機。
【発明の詳細な説明】
【技術分野】
【０００１】
本発明は、空気調和装置の室内機に関し、特に、室内機から吹き出される空気の方向を変える風向板を備えている空気調和装置の室内機に関する。
【背景技術】
【０００２】
空気調和装置の室内機には、板状の支持部材と、支持部材に設けられている複数の風向板と、風向板の向きを変える連結棒とを含むものが提案されている（例えば、特許文献１参照）。特許文献１に記載の空気調和装置の室内機は、支持部材が取り付けられるドレンパンの下面と、複数の風向板が設けられている吹出風路とを含む。ドレンパンの下面は複数の風向板と送風機との間に配置されており、ドレンパンは送風機が設けられている空間と、吹出風路とを区画している。また、支持部材はドレンパンの下面に回転自在に設けられている。【０００３】
作業者及びユーザーは支持部材を回転させることで、複数の風向板を、吹出風路から室内機の外側へ移動させることができる。これにより、作業者及びユーザーが吹出風路に手を入れるときに、手が風向板に干渉してしまうことがなくなる。したがって、特許文献１に記載の空気調和装置の室内機は、吹出風路、及び吹出風路の空気流れ方向の上流に配置されている送風機等の清掃を行いやすい。
【先行技術文献】
【特許文献】
【０００４】
【特許文献１】特開２０１６−２０７６６号公報
【発明の概要】
【発明が解決しようとする課題】
【０００５】
特許文献１に記載の空気調和装置の室内機の吹出風路には、複数の風向板の他に、支持部材及び連結棒が配置されている。このため、送風機から吹き出された空気は、連結棒及び支持部材に当たり、流れが妨げられる。つまり、特許文献１に記載の空気調和装置の室内機は、支持部材及び連結棒によって、空気の流れが妨げられ、送風効率が低下する、という課題がある。【０００６】
本発明は、上記のよう課題を解決するためになされたもので、清掃性に優れ、送風効率が低下することを抑制することができる空気調和装置の室内機を提供することを目的としている。
【課題を解決するための手段】
【０００７】
本発明に係る空気調和装置の室内機は、送風機と、送風機よりも空気流れ方向の下流側に配置され、送風機から吹き出される空気の方向を変える複数の風向板と、複数の風向板に取り付けられ、複数の風向板の向きを変える長尺状の駆動部材と、送風機から吹き出される空気が流れる第１の風路構成部材と、駆動部材の端部が設けられている第２の風路構成部材と、複数の風向板が取り付けられ、第１の風路構成部材に回転自在に設けられているベース部材と、複数の風向板及び駆動部材が配置され、送風機よりも空気流れ方向の下流側に設けられている吹出風路と、を備え、第１の風路構成部材は、吹出風路の一部を構成している凹状部を含み、凹状部には、ベース部材が取り付けられ、駆動部材が配置されている。
【発明の効果】
【０００８】
本発明に係る空気調和装置の室内機は、上記構成を備えているので、清掃性に優れ、送風効率が低下することを抑制することができる。
【図面の簡単な説明】
【０００９】
【図１】実施の形態に係る空気調和装置１０２の冷媒回路を示している。
【図２】実施の形態に係る空気調和装置１０２の室内機１００及び室外機１０１の模式図である。
【図３】実施の形態に係る空気調和装置１０２の室内機１００の分解斜視図である。
【図４】実施の形態に係る空気調和装置１０２の室内機１００の内部構造及び外部構造の説明図である。
【図５】実施の形態に係る空気調和装置１０２の室内機１００の斜視図である。
【図６】実施の形態に係る空気調和装置１０２の室内機１００の風向板ユニットＵのベース部材１２を回転させた状態の説明図である。
【図７】実施の形態に係る空気調和装置１０２の室内機１００のドレンパン１３及び風向板ユニットＵ等の説明図である。
【図８】実施の形態に係る空気調和装置１０２の室内機１００の駆動部材１１及びベース部材１２等の模式図である。
【図９】実施の形態に係る空気調和装置１０２の室内機１００の風向板ユニットＵの斜視図である。
【図１０】実施の形態に係る空気調和装置１０２の室内機１００の風向板１０及びその周辺の拡大図である。
【図１１】第２の仮想平面Ｓｒ２及び領域Ｒｇ１等を示す図である。
【図１２】実施の形態に係る空気調和装置１０２の室内機１００の風向板の設置角度がθ１であるときの説明図である。
【図１３】実施の形態に係る空気調和装置１０２の室内機１００の風向板の設置角度がθ１よりも大きいθ２であるときの説明図である。
【図１４】実施の形態に係る空気調和装置１０２の室内機１００の変形例である。
【発明を実施するための形態】
【００１０】
実施の形態．
以下、図面を適宜参照しながら本発明の実施の形態について説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１１】
図１は、実施の形態に係る空気調和装置１０２の冷媒回路を示している。
図２は、実施の形態に係る空気調和装置１０２の室内機１００及び室外機１０１の模式図である。
図３は、実施の形態に係る空気調和装置１０２の室内機１００の分解斜視図である。
図４は、実施の形態に係る空気調和装置１０２の室内機１００の内部構造及び外部構造の説明図である。なお、図１の実線矢印は暖房運転モードを実行しているときの冷媒の流れ方向を示し、点線矢印は冷房運転モードを実行しているときの冷媒の流れ方向を示している。
【００１２】
空気調和装置１０２は、空調対象空間（たとえば、家屋の部屋、倉庫、ビルの一室等）に空調空気を供給する室内機１００と、圧縮機１及び絞り装置４等が搭載された室外機１０１とを有している。そして、室内機１００と室外機１０１とが冷媒配管Ｒｐで接続されている。
【００１３】
室内機１００は室内機本体１００Ａと、送風機５Ａと、熱交換器５と、ドレンパン１３と、フィルターユニット７と、電気品８と、外郭パネルと１４とを備えている。また、室内機１００は、風向板９と、風向板１０を含む風向板ユニットＵとを備えている。室内機１００は、吸込口Ｏｐ１及び吹出口Ｏｐ２が設けられている。また、室内機１００には、空気が流れる風路Ａｐが形成されている。風路Ａｐは吸込風路Ａｐ１と吹出風路Ａｐ２とを含む。吸込風路Ａｐ１の上流部は吸込口Ｏｐ１であり、吸込風路Ａｐ１の下流部は送風機５Ａである。吸込風路Ａｐ１には、空気流れ方向の上流側から順番に、吸込口Ｏｐ１、熱交換器５及び送風機５Ａが配置されている。吹出風路Ａｐ２の上流部は送風機５Ａであり、吹出風路Ａｐ２の下流部は吹出口Ｏｐ２である。吹出風路Ａｐ２には、空気流れ方向の上流側から順番に、送風機５Ａ、風向板ユニットＵ、及び吹出口Ｏｐ２が配置されている。
【００１４】
室内機本体１００Ａは空調対象空間の壁等に取り付けられる。室内機本体１００Ａには送風機５Ａ及び熱交換器５等が設置されている。また、室内機本体１００Ａには外郭パネル１４が取り付けられている。送風機５Ａは例えばクロスフローファンを採用することができる。送風機５Ａの周囲には熱交換器５が配置されている。ドレンパン１３は、熱交換器５で生成された結露水を貯留する貯留部１３Ａと、吹出風路Ａｐ２に面している第１の風路構成部材１５とを備えている。貯留部１３Ａはドレンパン１３の上面に形成され、第１の風路構成部材１５はドレンパン１３の下面に形成されている。
【００１５】
フィルターユニット７は熱交換器５に向かい合っている。フィルターユニット７は熱交換器５よりも、空気流れ方向の上流側に配置されている。フィルターユニット７は塵埃を捕捉するフィルターと、フィルターを自動で清掃する清掃部とを備えている。電気品８は送風機５Ａ等を制御する制御装置を備えている。外郭パネル１４は室内機１００の意匠面である。外郭パネル１４はフィルターユニット７、ドレンパン１３、熱交換器５及び送風機５Ａ等を覆っている。外郭パネル１４と室内機本体１００Ａとの間には風路Ａｐが形成されている。
【００１６】
風向板９は空気の流れ方向を上下方向に変える部材である。風向板９は上風向板９Ａと下風向板９Ｂとを含む。風向板９は吹出風路Ａｐ２の下流部に設けられている。図４では風向板９が吹出口Ｏｐ２を閉塞している状態を示している。風向板９は風向板ユニットＵよりも空気流れ方向の下流側に配置されている。風向板９の回転軸は例えば水平方向に平行である。室内機１００は風向板９を回転させるアクチュエータ（図示省略）を備えている。このアクチュエータは例えばモーター等から構成される。風向板ユニットＵは空気の流れ方向を左右方向に変える風向板１０を含む。風向板１０は風向板９よりも空気流れ方向の上流側であって送風機５Ａよりも下流側に配置されている。
【００１７】
室外機１０１は、たとえば、屋外及びビルの屋上等に設置されるものである。室外機１０１は、冷媒を圧縮する圧縮機１と、圧縮機１に接続されている四方弁２と、暖房運転モードを実行しているときに蒸発器として機能し、冷媒運転モードを実行しているときに凝縮器（放熱器）として機能する室外熱交換器３とを備えている。また、室外機１０１は、室外熱交換器３に付設され、室外熱交換器３に空気を供給する送風機３Ａと、冷媒を減圧する絞り装置４とを備えている。
【００１８】
図５は、実施の形態に係る空気調和装置１０２の室内機１００の斜視図である。
図６は、実施の形態に係る空気調和装置１０２の室内機１００の風向板ユニットＵを回転させた状態の説明図である。図５は、風向板９が吹出口Ｏｐ２を開放した状態を示している。図６は、風向板９を室内機１００から取り外した状態を示している。また、図６は室内機１００を下側から見た図である。
【００１９】
図５に示すように、室内機１００は運転を開始すると、上風向板９Ａ及び下風向板９Ｂが回転する。その結果、室内機１００の吹出口Ｏｐ２が開く。また、図６に示すように、室内機１００は風向板ユニットＵが回転自在に構成されている。作業者及びユーザーは凹部１５Ｃから風向板ユニットＵの着脱部１２Ｂを外す。そして、作業者及びユーザーは風向板ユニットＵを回転させる。このとき、風向板ユニットＵのベース部材１２は回転軸部１２Ａを軸として回転し、風向板ユニットＵの連結棒１１Ａは連結部１１Ｂを軸として回転する。これにより、作業者及びユーザーは、複数の風向板１０を、吹出風路Ａｐ２から室内機１００の外側へ移動させることができる。したがって、作業者及びユーザーが吹出風路Ａｐ２に手を入れるときに、手が風向板１０に干渉してしまうことがなくなり、作業者及びユーザーは、吹出風路Ａｐ２及び送風機５Ａ等の清掃を行いやすい。つまり、室内機１００は清掃性が優れた構成を採用している。
【００２０】
図７は、実施の形態に係る空気調和装置１０２の室内機１００のドレンパン１３及び風向板ユニットＵ等の説明図である。
図８は、実施の形態に係る空気調和装置１０２の室内機１００の駆動部材１１及びベース部材１２等の模式図である。
図９は、実施の形態に係る空気調和装置１０２の室内機１００の風向板ユニットＵの斜視図である。
【００２１】
室内機１００には２つの風向板ユニットＵが設けられている。図７では、一方の風向板ユニットＵは風向板９により隠れて見えない。また、図７では、他方の風向板ユニットＵに対向する風向板９を取り外しているため、他方の風向板ユニットＵが露出している。図７では説明の便宜上、他方の風向板ユニットＵに対向する風向板９を取り外している。また、図８では、説明の便宜上、風向板１０は取り外した状態を示している。
【００２２】
風向板ユニットＵは、駆動部材１１と、ベース部材１２と、複数の風向板１０とを備えている。風向板１０は５つ設けられているが、風向板１０の数は５つに限定されるものではない。
【００２３】
駆動部材１１は連結棒１１Ａと、連結部１１Ｂと、駆動軸１１Ｃとを備えている。駆動部材１１は長尺状の部材である。連結棒１１Ａは方向Ｘに平行に配置されている。ここで、方向Ｘは複数の風向板１０が並ぶ方向に平行な方向である。連結棒１１Ａには風向板１０のブッシュ１０Ｃが挿入される開口部１１Ａ１が形成されている。連結棒１１Ａは長尺状の棒状部材である。連結棒１１Ａは連結部１１Ｂを介して駆動軸１１Ｃに連結している。連結棒１１Ａは連結部１１Ｂを軸として回転自在である。図８に示すように、連結棒１１Ａと、連結部１１Ｂと、駆動軸１１Ｃの一部は、吹出風路Ａｐ２に設けられている。駆動部材１１は複数の風向板１０と後述の第１の面１５Ａ１との間に配置されている。
【００２４】
ベース部材１２は、回転軸部１２Ａと、着脱部１２Ｂと、本体部１２Ｃとを備えている。ベース部材１２の下側には、風向板１０及び連結棒１１Ａが配置されている。回転軸部１２Ａは本体部１２Ｃの一端部に設けられ、着脱部１２Ｂは本体部１２Ｃの他端部に設けられている。回転軸部１２Ａは例えば円形の凹状部である。回転軸部１２Ａは第１の風路構成部材１５に形成されている凸部に嵌め込まれている。ベース部材１２は回転軸部１２Ａを軸として回転自在である。図６に示す状態では、連結棒１１Ａが連結部１１Ｂを軸として回転することに加えて、ベース部材１２が回転軸部１２Ａを軸として回転している。連結棒１１Ａが連結部１１Ｂを軸として回転するとともにベース部材１２が回転軸部１２Ａを軸として回転することで、図６に示すように、風向板ユニットＵが吹出口Ｏｐ２から室内機１００の外側に移動する。着脱部１２Ｂは第１の風路構成部材１５に形成されている凹部１５Ｃに取り付けられる。これにより、風向板ユニットＵは第１の風路構成部材１５に固定される。本体部１２Ｃは長尺状部材である。本体部１２Ｃには複数の風向板１０が取り付けられている。着脱部１２Ｂが凹部１５Ｃに取り付けられている状態では、本体部１２Ｃは第１の風路構成部材１５に向かい合っている。ベース部材１２は吹出風路Ａｐ２に設けられている。
【００２５】
風向板１０は、羽根部１０Ａと、軸部１０Ｂと、ブッシュ１０Ｃとを備えている。風向板１０は送風機５Ａよりも空気流れ方向の下流側に配置されている。また、風向板１０はベース部材１２の下側に配置されている。羽根部１０Ａは平板状部材である。羽根部１０Ａの上端には、軸部１０Ｂが形成されている。軸部１０Ｂはベース部材１２の本体部１２Ｃに回転自在に設けられている。また、羽根部１０Ａの空気流れ方向の上流側の端部には、ブッシュ１０Ｃが形成されている。ブッシュ１０Ｃは連結棒１１Ａの開口部１１Ａ１に挿入されている。連結棒１１Ａが動きは、ブッシュ１０Ｃを介して羽根部１０Ａへ伝達される。風向板１０は吹出風路Ａｐ２に設けられている。
【００２６】
羽根部１０Ａの上部は、凹状部１５Ａに配置されているとよい。つまり、羽根部１０Ａの一部は、後述の第１の仮想平面Ｓｒ１よりも上側に配置されているとよい。これにより、凹状部１５Ａを流れる空気の風向も羽根部１０Ａで変えることができる。
【００２７】
第１の風路構成部材１５は方向Ｘの端部に第２の風路構成部材１６が配置されている。第１の風路構成部材１５と第２の風路構成部材１６とは例えば直交している。第１の風路構成部材１５及び第２の風路構成部材１６は吹出風路Ａｐ２の一部を構成している。風向板ユニットＵは第１の風路構成部材１５に取り付けられている。また、風向板ユニットＵの駆動部材１１の駆動軸１１Ｃはモーター１７に取り付けられている。モーター１７が動作することで駆動軸１１Ｃが動き、駆動軸１１Ｃの動きが連結棒１１Ａに伝達されることで、連結棒１１Ａが動く。連結棒１１Ａが動くことで複数の風向板１０が動く。このように、電気品８に設けられている制御装置がモーター１７を制御することで、連結棒１１Ａが動き、風向板１０の向きが変わる。第２の風路構成部材１６は駆動部材１１の端部が設けられている。つまり、第２の風路構成部材１６は駆動部材１１の駆動軸１１Ｃの端部が設けられている。第２の風路構成部材１６は、モーター１７が設けられている空間１８と、吹出風路Ａｐ２とを区画している。第２の風路構成部材１６には駆動部材１１の駆動軸１１Ｃが挿入される隙間１６Ａが形成されている。
【００２８】
図１０は、実施の形態に係る空気調和装置１０２の室内機１００の風向板１０及びその周辺の拡大図である。第１の風路構成部材１５は送風機５Ａと複数の風向板１０との間に配置されている。第１の風路構成部材１５は凹部１５Ｃと（図６参照）、凹状部１５Ａとを含む。凹状部１５Ａは吹出風路Ａｐ２の一部を構成している。凹状部１５Ａにはベース部材１２が取り付けられている。また、凹状部１５Ａには駆動部材１１が配置されている。これにより、室内機１００は、吹出風路Ａｐ２を通過する空気の流れが駆動部材１１によって妨げられることを抑制することができる。その結果、室内機１００は送風効率が低下することを抑制することができる。
【００２９】
なお、凹状部１５Ａには、少なくとも連結棒１１Ａが配置されている。これにより、室内機１００は、送風効率が低下することを抑制する効果を得ることができる。ここで、凹状部１５Ａには連結棒１１Ａだけでなく駆動軸１１Ｃが設けられていてもよい。これにより、室内機１００は、送風効率が低下することを抑制する効果が向上する。
【００３０】
凹状部１５Ａは第１の面１５Ａ１と、第２の面１５Ａ２とを含む。第１の面１５Ａ１は駆動部材１１の連結棒１１Ａに向かい合っている。第１の面１５Ａ１は風向板１０のブッシュ１０Ｃとも向かい合っている。第２の面１５Ａ２はベース部材１２が取り付けられる。第２の面１５Ａ２の上端は第１の面１５Ａ１の上端に接続されている。第２の面１５Ａ２と第１の面１５Ａ１との接続部分には頂部１５Ｂ３が形成されている。実施の形態では、駆動部材１１から第２の面１５Ａ２までの距離よりも、駆動部材１１から第１の面１５Ａ１までの距離の方が近い。
【００３１】
凹状部１５Ａは、空気流れ方向の上流側に設けられている第１の端部１５Ｂ１と、空気流れ方向の下流側に設けられている第２の端部１５Ｂ２と、頂部１５Ｂ３とを含む。実施の形態では、第１の端部１５Ｂ１は、凹状部１５Ａのうちの、空気流れ方向の最上流側に設けられ、第２の端部１５Ｂ２は、凹状部１５Ａのうちの、空気流れ方向の最下流側に設けられている。第１の端部１５Ｂ１及び第２の端部１５Ｂ２は凹状部１５Ａの下部に含まれる構成であり、頂部１５Ｂ３は凹状部１５Ａの上部に含まれる構成である。第１の端部１５Ｂ１、第２の端部１５Ｂ２及び頂部１５Ｂ３は例えば方向Ｘに平行に形成されている。
【００３２】
ドレンパン１３には先端部１３Ｂが形成されている。先端部１３Ｂは送風機５Ａの下側に配置されている。先端部１３Ｂは、ドレンパン１３のうちで最も室内機本体１００Ａ側に配置されている部分である。先端部１３Ｂが形成されていることで、送風機５Ａが回転したときに、吹出風路Ａｐ２に空気流が形成される。第１の端部１５Ｂ１は先端部１３Ｂに形成されている。
【００３３】
ドレンパン１３には下面１３Ｃが形成されている。下面１３Ｃは第１の風路構成部材１５に含まれる。下面１３Ｃには着脱部１２Ｂが取り付けられる凹部１５Ｃが形成されている（図６参照）。第２の端部１５Ｂ２は、第２の面１５Ａ２と下面１３Ｃとの接続部分に形成されている。第２の面１５Ａ２の傾斜角度と下面１３Ｃの傾斜角度とは異なる。第２の面１５Ａ２の傾斜角度の方が、下面１３Ｃの傾斜角度よりも大きい。ここで、第２の面１５Ａ２の傾斜角度は、第２の面１５Ａ２と水平面とがなす角度である。また、下面１３Ｃの傾斜角度は、下面１３Ｃと水平面とがなす角度である。
【００３４】
頂部１５Ｂ３は、第１の端部１５Ｂ１及び第２の端部１５Ｂ２よりも上側に設けられている。第１の面１５Ａ１には第１の端部１５Ｂ１が設けられている。また、第２の面１５Ａ２には第２の端部１５Ｂ２が設けられている。具体的には、第１の面１５Ａ１の下端部には第１の端部１５Ｂ１が形成されており、第２の面１５Ａ２の下端部には第２の端部１５Ｂ２が形成されている。
【００３５】
駆動部材１１は凹状部１５Ａに設けられている。駆動部材１１は、第１の仮想平面Ｓｒ１よりも、上側に設けられている。これにより、吹出風路Ａｐ２を通過する空気の流れが妨げられることを抑制する効果をより確実に得ることができる。なお、ベース部材１２も、第１の仮想平面Ｓｒ１よりも、上側に設けられているとよい。これにより、吹出風路Ａｐ２を通過する空気の流れが妨げられることを抑制する効果をより確実に得ることができる。第１の仮想平面Ｓｒ１は第１の端部１５Ｂ１及び第２の端部１５Ｂ２を通る平面である。図１０では第１の仮想平面Ｓｒ１は点線で示している。
【００３６】
図１１は、第２の仮想平面Ｓｒ２及び領域Ｒｇ１等を示す図である。
図１２は、実施の形態に係る空気調和装置１０２の室内機１００の第２の面１５Ａ２と第１の仮想平面Ｓｒ１とのなす角度θがθ１であるときの説明図である。
図１３は、実施の形態に係る空気調和装置１０２の室内機１００の第２の面１５Ａ２と第１の仮想平面Ｓｒ１とのなす角度θがθ１よりも大きいθ２であるときの説明図である。図１２及び図１３の矢印ＡＲは、風向板ユニットＵを第１の風路構成部材１５から外し、風向板ユニットＵを回転させたときの風向板ユニットＵの移動方向を示している。
【００３７】
駆動部材１１は領域Ｒｇ１に配置されている。ここで、領域Ｒｇ１は、第２の仮想平面Ｓｒ２と、第１の面１５Ａ１と、第１の仮想平面Ｓｒ１とによって区画される領域である。つまり、領域Ｒｇ１は、第２の仮想平面Ｓｒ２と、第１の面１５Ａ１と、第１の仮想平面Ｓｒ１とによって囲まれる空間である。なお、第２の仮想平面Ｓｒ２は、頂部１５Ｂ３を通る平面であって、且つ、垂直方向に平行な平面である。また、実施の形態では、領域Ｒｇ１は垂直断面が三角形である。
また、領域Ｒｇ２は、第２の仮想平面Ｓｒ２と、第２の面１５Ａ２と、第１の仮想平面Ｓｒ１とによって区画される領域である。つまり、領域Ｒｇ２は、第２の仮想平面Ｓｒ２と、第２の面１５Ａ２と、第１の仮想平面Ｓｒ１とによって囲まれる空間である。空気の流速は、領域Ｒｇ１よりも領域Ｒｇ２の方が速い。したがって、駆動部材１１が領域Ｒｇ１に配置されていることで、吹出風路Ａｐ２を通過する空気の流れが妨げられることを抑制する効果が向上する。
【００３８】
頂部１５Ｂ３から第１の端部１５Ｂ１までの第１の長さは、頂部１５Ｂ３から第２の端部１５Ｂ２までの第２の長さよりも、短い。これにより、角度θを小さくすることができ、下面１３Ｃと第２の面１５Ａ２との接続部分が滑らかになる。つまり、下面１３Ｃと第２の面１５Ａ２とがなす角度が大きくなる。図１２及び図１３に示すように、角度θが小さい方が、下面１３Ｃと第２の面１５Ａ２との接続部分が滑らかである。
【００３９】
室内機１００は上述したように第１の長さが第２の長さよりも短い構成であるので、第２の面１５Ａ２を流れる空気が下面１３Ｃに至ったときに、空気が下面１３Ｃから剥離してしまうことを抑制することができる。室内機１００は空気が下面１３Ｃから剥離してしまうことを抑制することができるので、室内機１００は下面１３Ｃに渦が発生してしまうことを抑制することができる。室内機１００は下面１３Ｃに形成される渦を抑制することができるので、室内機１００は吹出風路Ａｐ２の圧力損失を低減することができる。そして、室内機１００は吹出風路Ａｐ２の圧力損失を低減することができるので、室内機１００は送風効率が低下してしまうことを抑制することができる。
【００４０】
また、室内機１００は下面１３Ｃに形成される渦を抑制することができるので、冷房運転時における室内機１００の結露を抑制することができる。つまり、室内機１００は下面１３Ｃに形成される渦を抑制することができるので、空調対象空間の暖かい空気が下面１３Ｃへ流れ込むことを抑制することができ、下面１３Ｃ等が結露してしまうことを抑制することができる。
【００４１】
図１３では、風向板ユニットＵを回転させたときに、風向板ユニットＵの風向板１０の下部が、風路構成部材１００Ａ１に干渉してしまうが、図１２では、風向板ユニットＵを回転させたときに、風向板ユニットＵの風向板１０の下部が、風路構成部材１００Ａ１に干渉しない。つまり、室内機１００は上述したように第１の長さが第２の長さよりも短い構成であるので角度θを小さくすることができる。したがって、風向板ユニットＵを回転させたときに（図６参照）、風向板ユニットＵが室内機本体１００Ａに設けられている風路構成部材１００Ａ１に干渉してしまうことを防止することができる。
【００４２】
なお、角度θは３０度より小さいとよい。より好ましくは、角度θは２０度より小さいとよい。なお、角度θは０度よりは大きい。このように角度θを設定することでも、下面１３Ｃと第２の面１５Ａ２との接続部分が滑らかになり、室内機１００は下面１３Ｃに形成される渦を抑制する効果を得ることができる。また、このように角度θを設定することでも、風向板ユニットＵを回転させたときに（図６参照）、風向板ユニットＵが室内機本体１００Ａに設けられている風路構成部材１００Ａ１に干渉してしまうことを防止することができる。
【００４３】
更に、第１の面１５Ａ１と第２の面１５Ａ２とがなす角度φは９０度より大きいとよい。つまり、頂部１５Ｂ３の角度は９０度より大きいとよい。このように角度φを設定することでも、下面１３Ｃと第２の面１５Ａ２との接続部分が滑らかになり、室内機１００は下面１３Ｃに形成される渦を抑制する効果を得ることができる。また、風向板ユニットＵを回転させたときに（図６参照）、風向板ユニットＵが室内機本体１００Ａに設けられている風路構成部材１００Ａ１に干渉してしまうことを防止することができる。
【００４４】
また、第２の面１５Ａ２は、平面とするとよい。第２の面１５Ａ２が曲面を有していると、渦が発生しやすくなるためである。つまり、第２の面１５Ａ２を平面とすることで、凹状部１５Ａに形成される渦を抑制することができる。
【００４５】
図１４は、実施の形態に係る空気調和装置１０２の室内機１００の変形例である。
変形例では実施の形態と共通する構成については同一符号を付して説明を省略し、相違する点を説明する。実施の形態では凹状部１５Ａが第１の風路構成部材１５に形成されている態様であったが、それに限定されるものではない。図１４に示すように、凹状部１５Ａは、風路構成部材１００Ａ１に形成されていてもよい。風路構成部材１００Ａ１は本発明の第１の風路構成部材に対応する。風路構成部材１００Ａ１は、吹出風路Ａｐ２の一部を構成している。風路構成部材１００Ａ１は上側から下側に延びる曲面が形成されている。変形例に係る室内機１００も、実施の形態に係る室内機１００と同様の効果を有する。また、変形例に係る室内機１００と実施の形態に係る室内機１００とは組み合わせてもよい。
【符号の説明】
【００４６】
１  圧縮機、２  四方弁、３  室外熱交換器、３Ａ  送風機、４  絞り装置、５  熱交換器、５Ａ  送風機、７  フィルターユニット、８  電気品、９  風向板、９Ａ  上風向板、９Ｂ  下風向板、１０  風向板、１０Ａ  羽根部、１０Ｂ  軸部、１０Ｃ  ブッシュ、１１  駆動部材、１１Ａ  連結棒、１１Ａ１  開口部、１１Ｂ  連結部、１１Ｃ  駆動軸、１２  ベース部材、１２Ａ  回転軸部、１２Ｂ  着脱部、１２Ｃ  本体部、１３  ドレンパン、１３Ａ  貯留部、１３Ｂ  先端部、１３Ｃ  下面、１４  外郭パネル、１５  第１の風路構成部材、１５Ａ  凹状部、１５Ａ１  第１の面、１５Ａ２  第２の面、１５Ｂ１  第１の端部、１５Ｂ２  第２の端部、１５Ｂ３  頂部、１５Ｃ  凹部、１６  第２の風路構成部材、１６Ａ  隙間、１７  モーター、１００  室内機、１００Ａ  室内機本体、１００Ａ１  風路構成部材、１０１  室外機、１０２  空気調和装置、Ａｐ  風路、Ａｐ１  吸込風路、Ａｐ２  吹出風路、Ｏｐ１  吸込口、Ｏｐ２  吹出口、Ｒｇ１  領域、Ｒｇ２  領域、Ｒｐ  冷媒配管、Ｓｒ１  第１の仮想平面、Ｓｒ２  第２の仮想平面、Ｕ  風向板ユニット、Ｘ  方向、θ  角度、φ  角度。
【図１】
2018198299.tif 000003
【図２】
2018198299.tif 000004
【図３】
2018198299.tif 000005
【図４】
2018198299.tif 000006
【図５】
2018198299.tif 000007
【図６】
2018198299.tif 000008
【図７】
2018198299.tif 000009
【図８】
2018198299.tif 000010
【図９】
2018198299.tif 000011
【図１０】
2018198299.tif 000012
【図１１】
2018198299.tif 000013
【図１２】
2018198299.tif 000014
【図１３】
2018198299.tif 000015
【図１４】
2018198299.tif 000016
【手続補正書】
【提出日】令和1年8月20日(2019.8.20)
【手続補正１】
【補正対象書類名】明細書
【補正対象項目名】０００７
【補正方法】変更
【補正の内容】
【０００７】
本発明に係る空気調和装置の室内機は、送風機と、前記送風機よりも空気流れ方向の下流側に配置され、前記送風機から吹き出される空気の方向を変える複数の風向板と、前記複数の風向板に取り付けられ、前記複数の風向板の向きを変える長尺状の駆動部材と、前記送風機から吹き出される空気が流れる第１の風路構成部材と、前記駆動部材の端部が設けられている第２の風路構成部材と、前記複数の風向板が取り付けられ、前記第１の風路構成部材に回転自在に設けられているベース部材と、前記複数の風向板及び前記駆動部材が配置され、前記送風機よりも空気流れ方向の下流側に設けられている吹出風路と、を備え、前記第１の風路構成部材は、前記吹出風路の一部を構成している凹状部を含み、前記凹状部には、前記ベース部材が取り付けられ、前記駆動部材が配置され、前記凹状部は、空気流れ方向の上流側に設けられている第１の端部と、空気流れ方向の下流側に設けられている第２の端部とを含み、前記駆動部材は、前記第１の端部及び前記第２の端部を通る第１の仮想平面よりも、上側に設けられている。
【手続補正２】
【補正対象書類名】特許請求の範囲
【補正対象項目名】全文
【補正方法】変更
【補正の内容】
【特許請求の範囲】
【請求項１】
送風機と、
前記送風機よりも空気流れ方向の下流側に配置され、前記送風機から吹き出される空気の方向を変える複数の風向板と、
前記複数の風向板に取り付けられ、前記複数の風向板の向きを変える長尺状の駆動部材と、
前記送風機から吹き出される空気が流れる第１の風路構成部材と、
前記駆動部材の端部が設けられている第２の風路構成部材と、
前記複数の風向板が取り付けられ、前記第１の風路構成部材に回転自在に設けられているベース部材と、
前記複数の風向板及び前記駆動部材が配置され、前記送風機よりも空気流れ方向の下流側に設けられている吹出風路と、
を備え、
前記第１の風路構成部材は、前記吹出風路の一部を構成している凹状部を含み、
前記凹状部には、前記ベース部材が取り付けられ、前記駆動部材が配置され、
前記凹状部は、空気流れ方向の上流側に設けられている第１の端部と、空気流れ方向の下流側に設けられている第２の端部とを含み、
前記駆動部材は、前記第１の端部及び前記第２の端部を通る第１の仮想平面よりも、上側に設けられている
空気調和装置の室内機。
【請求項２】
前記凹状部は、前記第１の端部が設けられている第１の面と、前記第２の端部が設けられ、前記ベース部材が取り付けられている第２の面とを含み、
前記駆動部材は、前記第１の面と前記複数の風向板との間に配置されている
請求項１に記載の空気調和装置の室内機。
【請求項３】
前記凹状部は、前記第１の端部が設けられている第１の面と、前記第２の端部が設けられ、前記ベース部材が取り付けられている第２の面と、前記第１の端部及び前記第２の端部よりも上側に設けられ、前記第１の面と前記第２の面とが接続されている部分に形成されている頂部とを含む
請求項１に記載の空気調和装置の室内機。
【請求項４】
前記第１の面と前記第２の面とがなす角度は、９０度より大きい
請求項３に記載の空気調和装置の室内機。
【請求項５】
前記第１の仮想平面と前記第２の面とのなす角度は、３０度より小さい
請求項３又は４に記載の空気調和装置の室内機。
【請求項６】
前記第２の面は、平面である
請求項３〜５のいずれか一項に記載の空気調和装置の室内機。
【請求項７】
前記頂部から前記第１の端部までの第１の長さは、前記頂部から前記第２の端部までの第２の長さよりも、短い
請求項３〜６のいずれか一項に記載の空気調和装置の室内機。
【請求項８】
前記駆動部材は、前記頂部を通り且つ垂直方向に平行な第２の仮想平面と、前記第１の面と、前記第１の仮想平面と、によって形成される領域に配置されている
請求項３〜７のいずれか一項に記載の空気調和装置の室内機。
【請求項９】
前記駆動部材は、前記第１の面と前記複数の風向板との間に配置されている
請求項３〜８のいずれか一項に記載の空気調和装置の室内機。
【請求項１０】
前記領域は、垂直断面が三角形である
請求項８に記載の空気調和装置の室内機。
【請求項１１】
前記駆動部材の端部を動かすモーターを更に備え、
前記第２の風路構成部材は、前記モーターが設けられている空間と、前記吹出風路とを区画している
請求項１〜１０のいずれか一項に記載の空気調和装置の室内機。
【請求項１２】
各風向板は、前記ベース部材に回転自在に設けられている軸部と、前記軸部に接続されている羽根部とを含み、
前記凹状部には、前記羽根部の上部が配置されている
請求項１〜１１のいずれか一項に記載の空気調和装置の室内機。
【請求項１３】
熱交換器と、
前記熱交換器の下に設けられているドレンパンとを更に備え、
前記ドレンパンの上面には、前記熱交換器で生成される結露水を貯留する貯留部が形成され、
前記ドレンパンの下面には、前記第１の風路構成部材が形成されている
請求項１〜１２のいずれか一項に記載の空気調和装置の室内機。
【国際調査報告】
2018198299.tif 000017
2018198299.tif 000018
2018198299.tif 000019
2018198299.tif 000020